(57)【要約】【課題】部門コードへの部門設定の作業負担を低減することである。【解決手段】売上データ処理装置２０は、操作部２２が、複数の業種から１つの業種の選択入力を受け付け、記憶部２７が、複数の業種にそれぞれ対応付けられた部門の情報を有するサンプル設定用情報を記憶し、ＣＰＵ２１が、サンプル設定用情報に基づいて、選択入力された業種に対応付けられた部門を部門コードに設定する。【選択図】図３
2020021515.tif 000002
【特許請求の範囲】
【請求項１】
複数の業種から１つの業種の選択入力を受け付ける操作手段と、
複数の業種にそれぞれ対応付けられた部門の情報を有するサンプル設定用情報を記憶する記憶手段と、
前記サンプル設定用情報に基づいて、前記選択入力された業種に対応付けられた部門を部門コードに設定する設定手段と、
を備える売上データ処理装置。
【請求項２】
前記サンプル設定用情報に基づいて、前記複数の業種と当該業種に対応する部門との一覧を表示手段に表示する表示制御手段を備える請求項１に記載の売上データ処理装置。
【請求項３】
前記サンプル設定用情報を用いる部門のサンプル設定、又は部門設定の選択入力を受け付ける選択入力手段を備え、
前記操作手段は、前記サンプル設定が選択入力された場合に、前記業種の選択入力を受け付け、
前記設定手段は、前記サンプル設定用情報に基づいて、前記選択入力された業種に対応付けられた部門を部門コードに設定し、
前記操作手段は、前記部門設定が選択入力された場合に、部門コードに対応する部門の入力を受け付け、
前記設定手段は、前記入力された部門を部門コードに設定する請求項１又は２に記載の売上データ処理装置。
【請求項４】
前記操作手段は、前記設定された部門の変更情報の入力を受け付け、
前記設定手段は、前記入力された変更情報に応じて、前記設定された部門を変更設定する請求項１から３のいずれか一項に記載の売上データ処理装置。
【請求項５】
コンピュータを、
複数の業種から１つの業種の選択入力を受け付ける操作手段、
複数の業種にそれぞれ対応付けられた部門の情報を有するサンプル設定用情報を記憶する記憶手段、
前記サンプル設定用情報に基づいて、前記選択入力された業種に対応付けられた部門を部門コードに設定する設定手段、
として機能させるためのプログラム。
【請求項６】
商品の売り上げを登録する際に前記商品の分類を識別するための識別コードを対応付けて登録する売上データ処理システムであって、
商品の分類情報と識別コードとが対応付けられた商品分類設定が業種毎に予めサンプルとして記憶されている記憶手段と、
選択された業種に対応した商品分類設定を前記記憶手段から読み出すとともに、該読み出した商品分類設定に基づいて商品の売り上げを登録する登録手段と、
を備える売上データ処理システム。
【発明の詳細な説明】
【技術分野】
【０００１】
本発明は、売上データ処理装置、プログラム及び売上データ処理システムに関する。
【背景技術】
【０００２】
従来、商品を販売する店舗に設置されて、顧客に販売した商品の金額、個数等の売上データを登録するＥＣＲ（Electronic Cash Resister）等の売上データ処理装置が知られている。
【０００３】
また、商品の部門を入力するための部門キーを有し、売上データとして、売り上げた商品の金額、個数の他に、部門キーの押下入力により部門を入力できる売上データ処理装置が知られている（特許文献１参照）。部門とは、商品の分類を識別するための情報であり、商品登録時に部門を入力することで、商品の売上データを部門毎に集計することが可能となる。
【先行技術文献】
【特許文献】
【０００４】
【特許文献１】特開平５−１２８３７６号公報
【発明の概要】
【発明が解決しようとする課題】
【０００５】
しかし、従来の売上データ処理装置は、ユーザ又はサービスマンが手入力で部門の識別コードとしての部門コードに商品の分類情報としての部門の情報をそれぞれ設定しなければならず、作業負担が大きかった。
【０００６】
本発明の課題は、部門コード（識別コード）への部門（商品の分類情報）設定の作業負担を低減することである。
【課題を解決するための手段】
【０００７】
上記課題を解決するために、本発明の売上データ処理装置は、複数の業種から１つの業種の選択入力を受け付ける操作手段と、複数の業種にそれぞれ対応付けられた部門の情報を有するサンプル設定用情報を記憶する記憶手段と、前記サンプル設定用情報に基づいて、前記選択入力された業種に対応付けられた部門を部門コードに設定する設定手段と、を備える。
【発明の効果】
【０００８】
本発明によれば、部門コードへの部門設定の作業負担を低減できる。
【図面の簡単な説明】
【０００９】
【図１】本発明の実施の形態の売上データ処理システムを示すブロック図である。
【図２】売上データ処理装置を示す外観図である。
【図３】売上データ処理装置の機能構成を示すブロック図である。
【図４】サンプル設定用テーブルの構成を示す図である。
【図５】部門設定テーブルの構成を示す図である。
【図６】部門設定処理を示すフローチャートである。
【図７】設定方法選択画面を示す図である。
【図８】サンプル設定画面を示す図である。
【図９】部門設定画面を示す図である。
【図１０】変更入力画面を示す図である。
【図１１】売上登録画面を示す図である。
【発明を実施するための形態】
【００１０】
以下、添付図面を参照して本発明に係る実施の形態を詳細に説明する。なお、本発明は、図示例に限定されるものではない。
【００１１】
図１〜図３を参照して、本実施の形態の装置構成を説明する。図１は、本実施の形態の売上データ処理システム１を示すブロック図である。
【００１２】
先ず、図１を参照して、本実施の形態の売上データ処理システム１を説明する。売上データ処理システム１は、サーバ１０と、少なくとも１台の売上データ処理装置２０と、を備える。サーバ１０は、クラウド上のサーバであり、売上データ処理装置２０の商品の売上データを管理する。サーバ１０及び売上データ処理装置２０は、通信ネットワークＮに接続されている。通信ネットワークＮは、インターネットであるものとするが、ＬＡＮ（Local Area Network）等、他のネットワークとしてもよい。
【００１３】
売上データ処理装置２０は、個人商店、スーパーマーケット等の店舗に設置されるＥＣＲ等であり、店員の操作により顧客に販売した商品の金額、個数等の売上データを登録する装置である。売上データ処理装置２０は、１つの店舗に少なくとも１台設置される。サーバ１０は、複数の店舗の売上データ処理装置２０の売上データを一元的に管理することが可能である。
【００１４】
次いで、図２を参照して、売上データ処理装置２０の外観構成を説明する。図２は、売上データ処理装置２０を示す外観図である。
【００１５】
図２に示すように、売上データ処理装置２０は、本体部２０１と、ドロア２９と、を備える。本体部２０１は、タッチパネルとしての操作部２２と、当該タッチパネルを表示画面上に設けた店員用の表示部２４ａと、顧客用の表示部２４ｂと、印刷部２８と、を備える。表示部２４ａは、ＬＣＤ（Liquid Crystal Display）、ＥＬ（ElectroLuminescent）ディスプレイ等で構成され、店員用の商品販売時の商品の売上データの入力画面情報、各種設定画面情報等を表示する。表示部２４ｂは、ＬＣＤ、ＥＬディスプレイ等で構成され、表示画面を顧客側又は店員側に回転可能であり、顧客用の商品の金額、合計金額等の情報を表示する。
【００１６】
印刷部２８は、ロール紙等の用紙に、レシートのデータ、電子ジャーナルのデータ等を印刷するサーマルプリンタ等の印刷部である。ドロア２９は、現金、商品券等を格納する引き出しである。本体部２０１とドロア２９とは、ケーブルを介した有線通信により通信接続されている構成とするが、これに限定されるものでなく、無線通信により通信接続されている構成としてもよい。また、本体部２０１には、クレジットカードを読み出して電子決済を行うための電子決済部や、レーザスキャナ、イメージスキャナ等のスキャナ部等、他の装置を接続する構成としてもよい。
【００１７】
次いで、図３を参照して、売上データ処理装置２０の内部の機能構成を説明する。図３は、売上データ処理装置２０の機能構成を示すブロック図である。
【００１８】
図３に示すように、売上データ処理装置２０は、設定手段、表示制御手段、登録手段としてのＣＰＵ（Central Processing Unit）２１と、操作手段、選択入力手段としての操
作部２２と、ＲＡＭ（Random Access Memory）２３と、表示手段としての表示部２４ａと、表示部２４ｂと、ＲＯＭ（Read Only Memory）２５と、通信部２６と、記憶手段としての記憶部２７と、印刷部２８と、ドロア２９と、を備える。
【００１９】
売上データ処理装置２０の各部は、バス３０を介して互いに接続されている。図３において、簡単のため、図２の本体部２０１と、ドロア２９との接続は、バス３０を介する接続として表現している。
【００２０】
ＣＰＵ２１は、売上データ処理装置２０の各部を制御する。ＣＰＵ２１は、各種プログラムのうち指定されたプログラムをＲＯＭ２５から読み出してＲＡＭ２３に展開し、展開されたプログラムとの協働で各種処理を実行する。
【００２１】
操作部２２は、表示部２４ａの表示画面に設けられたタッチパネルであり、ユーザからのタッチ入力を受け付け、その操作情報をＣＰＵ２１に出力する。操作部２２は、例えば、商品登録時に、表示部２４ａに表示された数字キー、部門キー、部門選択キー、仮締めキー、小計キー、お支払キー（締めキー）等のソフトキーへのタッチ入力を受け付ける。なお、操作部２２は、ハードキーを有する構成としてもよい。部門キーとは、商品の分類を選択するための分類選択キーである。
【００２２】
ＲＡＭ２３は、例えば、揮発性の半導体メモリであり、各種データ及びプログラムを格納するワークエリアが形成される。表示部２４ａ，２４ｂは、ＣＰＵ２１の制御により、各種表示情報を表示画面に表示する。
【００２３】
ＲＯＭ２５は、各種データ及び各種プログラムを記憶する読み出し専用のメモリである。特に、ＲＯＭ２５には、部門設定プログラム２５１が記憶されている。
【００２４】
通信部２６は、ネットワークカード等により構成され、通信ネットワークＮに接続されるとともに、通信ネットワークＮ上の機器と情報の送受信を行う。つまり、ＣＰＵ２１は、通信部２６を介して、通信ネットワークＮ上のサーバ１０と通信が可能である。
【００２５】
記憶部２７は、情報の書き込み及び読み出しが可能な記憶部であり、バッテリーバックアップされたＲＡＭ、フラッシュメモリ等で構成される。記憶部２７には、売上データ、各種設定情報等が記憶され、特に、後述するサンプル設定用テーブル４０、部門設定テーブル５０が記憶される。
【００２６】
印刷部２８は、ＣＰＵ２１の制御により、レシート、電子ジャーナル等のデータを用紙に印刷する。ドロア２９は、ＣＰＵ２１の制御により、例えば商品登録の締め時に、引き出しが開放される。
【００２７】
次に、図４及び図５を参照して、記憶部２７に記憶する情報を説明する。図４は、サンプル設定用テーブル４０の構成を示す図である。図５は、部門設定テーブル５０の構成を示す図である。
【００２８】
記憶部２７に記憶されるサンプル設定用テーブル４０は、複数の業種に応じて予め設定された複数の部門キーに対応する部門の情報を有するテーブルである。図４に示すように、サンプル設定用テーブル４０は、業種４１、部門名４２、部門コード４３、グループ４４、税４５、キータイプ４６の項目を有する。
【００２９】
業種４１は、売上データ処理装置２０の設置店舗の業種の候補として予め設定された複数の業種である。業種４１としては、飲食店、喫茶店、居酒屋店、食料品店、衣料品店、文具店、書店、理美容店が用意されている例を説明するが、これらに限定されるものではない。
【００３０】
部門名４２は、業種４１に対応して予め設定された複数の部門の名称である。このように、部門名とは、商品の分類情報を示す名称である。例えば、業種４１が「飲食店」である場合に対応して、部門名４２は、定食、飯類、肉類、麺類、酒類、ソフトドリンク、スープ、サラダ、デザートのパターンが順に設定されている。部門コード４３は、部門名４２などを割り当てる部門の識別情報であり、後述する部門選択キーの識別情報でもある。つまり、部門コード４３の各部門選択キーに、部門名４２の部門が予め対応付けられている。また、部門コードは、商品の分類を示す識別コードとして機能する。
【００３１】
グループ４４は、部門名４２の部門が含まれるグループの名称である。グループは、複数の部門の商品にまたがって設定可能である。税４５は、部門名４２の部門の税の情報（内税（ｘ％）、外税（ｘ％）、非課税等）である。キータイプ４６は、部門名４２の部門（部門コード４３の部門選択キー）に対応する部門選択キーのキー表示パターンの情報（部門選択キーの表示色等）である。
【００３２】
記憶部２７に記憶される部門設定テーブル５０は、部門コードに設定した部門の情報を有するテーブルである。図５に示すように、部門設定テーブル５０は、部門コード５１、部門名５２、グループ５３、税５４、キータイプ５５の項目を有する。部門コード５１は、部門（部門選択キー）の識別情報である。部門名５２は、部門コード５１に割り当てられた部門の名称である。グループ５３は、部門名５２の部門が含まれるグループの名称である。税５４は、部門名５２の部門の税の情報である。キータイプ５５は、部門名５２の部門（部門コード５１の部門選択キー）に対応するキー表示パターンの情報である。
【００３３】
次に、図６〜図１０を参照して、売上データ処理システム１の動作を説明する。図６は、部門設定処理を示すフローチャートである。図７は、設定方法選択画面６０を示す図である。図８は、サンプル設定画面７０を示す図である。図９は、部門設定画面８０を示す図である。図１０は、変更入力画面９０を示す図である。
【００３４】
売上データ処理システム１の売上データ処理装置２０を所定の店舗に導入する場合に、工場出荷した売上データ処理装置２０が当該店舗に発送され、当該店舗において、ユーザ等が売上データ処理装置２０に各種初期設定を行う。売上データ処理装置２０の初期設定は、例えば、サーバ１０への売上データ処理装置２０の接続及び登録、売上データ処理装置２０のレジ割り当て設定、ユーザ設定、レシートの設定、部門の設定、商品の設定等の一連の設定である。
【００３５】
図６を参照して、初期設定における部門の設定として、売上データ処理装置２０で実行される部門設定処理を説明する。売上データ処理装置２０において、例えば、初期設定のうちのレシートの設定が終了したことをトリガとして、ＣＰＵ２１は、ＲＯＭ２５から読み出して適宜ＲＡＭ２３に展開した部門設定プログラム２５１との協働で、部門設定処理を実行する。
【００３６】
先ず、ＣＰＵ２１は、設定方法選択画面情報を生成し、当該設定方法選択画面情報に基づく設定方法選択画面を表示部２４ａに表示する（ステップＳ１０）。設定方法選択画面は、部門の設定方法の選択と、部門設定処理の終了指示と、の操作入力を受け付ける画面である。部門の設定方法としては、部門の情報を手入力で設定する部門設定と、業種に応じて予め設定された部門の情報のパターンを選択設定するサンプル設定と、の２つから選択が可能である。
【００３７】
ステップＳ１０では、例えば、図７に示す設定方法選択画面６０が表示される。設定方法選択画面６０は、メッセージ欄６１、部門設定ボタン６２、サンプル設定ボタン６３、戻るボタン６４、進むボタン６５を有する。なお、図７の設定方法選択画面６０、図８のサンプル設定画面７０、図９の部門設定画面８０、図１０の変更入力画面９０において、「部門」を「商品部門」と表し、「グループ」を「商品グループ」と表している。
【００３８】
メッセージ欄６１は、部門の説明、部門の設定方法の選択の説明等のメッセージを有する。部門設定ボタン６２は、部門の設定方法として部門設定の選択のタップ入力を受け付けるボタンである。サンプル設定ボタン６３は、部門の設定方法としてサンプル設定の選択のタップ入力を受け付けるボタンである。戻るボタン６４は、初期設定の前段階（レシートの設定）に戻る指示のタップ入力を受け付けるボタンである。進むボタン６５は、部門設定処理を終了し、初期設定の後段階（レシートの設定）に戻る指示のタップ入力を受け付けるボタンである。
【００３９】
そして、ＣＰＵ２１は、操作部２２を介して、ユーザから、サンプル設定ボタン６３のタップによるサンプル設定、部門設定ボタン６２のタップによる部門設定、又は進むボタン６５のタップによる部門設定処理の終了の入力を受け付け、どの入力かを判別する（ステップＳ１１）。サンプル設定が入力された場合（ステップＳ１１；サンプル設定）、ＣＰＵ２１は、記憶部２７からサンプル設定用テーブル４０を読み出し、サンプル設定用テーブル４０に基づきサンプル設定画面情報を生成し、当該サンプル設定画面情報に基づくサンプル設定画面を表示部２４ａに表示する（ステップＳ１２）。
【００４０】
ステップＳ１２では、例えば、図８に示すサンプル設定画面７０が表示される。サンプル設定画面７０は、業種選択欄７１、部門表示欄７２、キャンセルボタン７３、設定ボタン７４を有する。
【００４１】
業種選択欄７１は、売上データ処理装置２０を設置する店舗の業種の一覧の表示欄であり、業種のタップ入力を受け付ける。業種選択欄７１に一覧表示される業種は、サンプル設定用テーブル４０の業種４１に基づく。業種選択欄７１において、ユーザが１つの業種をタップ入力して選択することにより、その選択された業種に選択表示部７１１が表示される。部門表示欄７２は、業種選択欄７１で選択された業種に対応する部門のパターンの表示欄である。部門表示欄７２に一覧表示される部門は、サンプル設定用テーブル４０の選択された業種４１に対応する部門名４２に基づく。業種選択欄７１、部門表示欄７２は、移動操作により上下にスクロール可能であるものとする。
【００４２】
キャンセルボタン７３は、業種選択欄７１の業種選択のキャンセルのタップ入力を受け付けるボタンである。設定ボタン７４は、業種選択欄７１の選択業種の部門の情報の設定実行のタップ入力を受け付けるボタンである。
【００４３】
そして、ＣＰＵ２１は、操作部２２を介して、ユーザから、業種選択欄７１における業種のタップによる業種の選択入力を受け付ける（ステップＳ１３）。そして、ＣＰＵ２１は、操作部２２を介して、ユーザから、キャンセルボタン７３のタップによる部門情報の設定のキャンセル、又は設定ボタン７４のタップによる部門情報の設定の入力を受け付け、どの入力かを判別する（ステップＳ１４）。キャンセルが入力された場合（ステップＳ１４；キャンセル）、ステップＳ１０に移行される。
【００４４】
設定が入力された場合（ステップＳ１４；設定）、ＣＰＵ２１は、ステップＳ１４で入力された業種に対応する部門の情報をサンプル設定用テーブル４０から読み出して部門設定テーブル５０に格納して部門情報の設定を行い（ステップＳ１５）、ステップＳ１０に移行する。ステップＳ１５において、サンプル設定用テーブル４０の選択された業種４１の部門名４２、部門コード４３、グループ４４、税４５、キータイプ４６が、部門設定テーブル５０の部門名５２、部門コード５１、グループ５３、税５４、キータイプ５５に格納される。
【００４５】
部門設定が入力された場合（ステップＳ１１；部門設定）、ＣＰＵ２１は、記憶部２７から部門設定テーブル５０を読み出し、部門設定テーブル５０に基づき部門設定画面情報を生成し、当該部門設定画面情報に基づく部門設定画面を表示部２４ａに表示する（ステップＳ１６）。
【００４６】
ステップＳ１６では、例えば、図９に示す部門設定画面８０が表示される。部門設定画面８０は、部門選択欄８１、スクロールボタン８２、詳細情報表示欄８３、変更ボタン８４、閉じるボタン８５を有する。
【００４７】
部門選択欄８１は、部門コードと設定済の部門名との一覧の表示欄であり、部門コードのタップ入力を受け付ける。部門選択欄８１に一覧表示される部門コード、部門は、部門設定テーブル５０の部門コード５１、部門名５２に基づく。スクロールボタン８２は、部門選択欄８１の部門コードのリストのページ切替のタップ入力を受け付けるボタンである。部門コードのリストは、少なくとも１つのページで構成され、各ページが複数の部門コードの項目（行）を有する。スクロールボタン８２は、左から順に、先頭ページへの移動、１つ前のページへの移動、次のページへの移動、末尾のページへの移動、に対応する４つのボタンからなる。部門選択欄８１において、ユーザが１つの部門コードをタップ入力して選択することにより、その選択された部門コードに選択表示部８１１が表示される。
【００４８】
詳細情報表示欄８３は、部門選択欄８１で選択された部門に対応する詳細情報の一覧の表示欄である。詳細情報表示欄８３に一覧表示される部門の詳細情報は、部門設定テーブル５０の選択された部門コード５１、部門名５２、グループ５３、税５４、キータイプ５５に基づく。
【００４９】
変更ボタン８４は、詳細情報表示欄８３の選択された部門コードの部門の詳細情報の変更入力の実行のタップ入力を受け付けるボタンである。閉じるボタン８５は、部門設定画面８０を閉じる旨のタップ入力を受け付けるボタンである。
【００５０】
そして、ＣＰＵ２１は、操作部２２を介して、ユーザから、部門選択欄８１における部門コードのタップによる部門コードの選択入力を受け付ける（ステップＳ１７）。そして、ＣＰＵ２１は、操作部２２を介して、ユーザから、変更ボタン８４のタップによる変更入力、又は閉じるボタン８５のタップによる閉じる旨の入力を受け付け、どの入力かを判別する（ステップＳ１８）。
【００５１】
変更入力が入力された場合（ステップＳ１８；変更）、ＣＰＵ２１は、記憶部２７から部門設定テーブル５０を読み出し、部門設定テーブル５０に基づき変更入力画面情報を生成し、当該変更入力画面情報に基づく変更入力画面を表示部２４ａに表示する（ステップＳ１９）。
【００５２】
ステップＳ１９では、例えば、図１０に示す変更入力画面９０が表示される。変更入力画面９０は、部門表示欄９１、スクロールボタン９２、詳細情報表示欄９３、保存ボタン９４、キャンセルボタン９５を有する。
【００５３】
部門表示欄９１は、図８の部門選択欄８１と同様の情報を有するが、部門コードの選択入力ができない表示欄である。部門表示欄９１に一覧表示される部門コード、部門は、部門設定テーブル５０の部門コード５１、部門名５２に基づく。スクロールボタン９２は、図８のスクロールボタン８２と同様である。
【００５４】
詳細情報表示欄９３は、図８の詳細情報表示欄８３と同様に、部門選択欄８１で選択された部門に対応する詳細情報の一覧の表示欄であるが、部門の詳細情報の変更入力を受け付ける。詳細情報表示欄９３に一覧表示される部門の詳細情報は、部門設定テーブル５０の選択された部門コード５１、部門名５２、グループ５３、税５４、キータイプ５５に基づく。
【００５５】
保存ボタン９４は、詳細情報表示欄９３で変更入力された部門の詳細情報の保存（記憶）のタップ入力を受け付けるボタンである。キャンセルボタン９５は、詳細情報表示欄９３で変更入力された部門の詳細情報のキャンセル（保存しない）のタップ入力を受け付けるボタンである。
【００５６】
そして、ＣＰＵ２１は、操作部２２を介して、ユーザから、詳細情報表示欄９３におけるステップＳ１７で入力された部門コードの部門の詳細情報の変更入力を受け付ける（ステップＳ２０）。
【００５７】
そして、ＣＰＵ２１は、操作部２２を介して、ユーザから、保存ボタン９４のタップによる部門の詳細情報の保存、又はキャンセルボタン９５のタップによるキャンセルの入力を受け付け、どの入力かを判別する（ステップＳ２１）。保存が入力された場合（ステップＳ２１；保存）、ＣＰＵ２１は、ステップＳ２０で入力された部門の詳細情報を部門設定テーブル５０に格納して詳細情報の設定を行い（ステップＳ２２）、ステップＳ１６に移行する。ステップＳ２０において、入力された部門の詳細情報の部門コード、部門名、グループ、税、キータイプが、部門コード５１、部門名５２、グループ５３、税５４、キータイプ５５に格納される。
【００５８】
キャンセルが入力された場合（ステップＳ２１；キャンセル）、ステップＳ１６に移行される。閉じるが入力された場合（ステップＳ１８；閉じる）、ステップＳ１０に移行される。終了が入力された場合（ステップＳ１１；終了）、部門設定処理が終了する。例えば、部門設定処理の終了時に、ＣＰＵ２１は、記憶部２７から部門設定テーブル５０を読み出し、通信部２６を介して、部門設定テーブル５０を自装置の識別情報に対応付けてサーバ１０に送信する。サーバ１０は、送信元の売上データ処理装置２０の識別情報に対応付けられた部門設定テーブル５０を売上データ処理装置２０から受信し記憶して管理する。
【００５９】
部門設定処理の終了後、初期設定の後段階としての商品の設定等が行われ、初期設定が完了される。初期設定後は、例えば、商品の販売における売上データ入力（商品登録）の際に、部門設定テーブル５０に基づく部門選択キーを有する売上登録画面が表示部２４ａに表示され、操作部２２を介して店員の操作に応じて売上データの入力を受け付ける。
【００６０】
商品登録では、売上データ処理装置２０において、例えば、図１１に示す売上登録画面１００が表示される。売上登録画面１００には、合計金額表示領域１０１、明細表示領域１０２、金額表示領域１０３、数字入力キー１０４、「×」キー１０５、メニューカテゴリー領域１０６、メニュー領域１０７、お支払キーＢ１１等が含まれる。
【００６１】
合計金額表示領域１０１には、入力された売上データの合計金額が表示される。明細表示領域１０２には、入力された売上対象（商品名・部門名）、個数、金額が表示される。金額表示領域１０３には、部門で売上データを登録する際に入力される金額が表示される。数字入力キー１０４は、金額や個数を入力する際に用いられる。×キー１０５は、同一商品を複数個分登録する際にタップ入力される。
【００６２】
メニューカテゴリー領域１０６には、部門一覧表示キー１０６Ａ、定番メニュー表示キー１０６Ｂが表示されるとともに、１〜６番目の部門選択キー（部門選択ボタン）としての定食キー（定食メニューボタン）１０６Ｃ、飯類キー（飯類メニューボタン）１０６Ｄ、肉類キー（肉類メニューボタン）１０６Ｅ、魚類キー（魚類メニューボタン）１０６Ｆ、麺類キー（麺類メニューボタン）１０６Ｇ、酒類キー（酒類メニューボタン）１０６Ｈが並列表示される。メニューカテゴリー領域１０６には、右へキーＢ２１と、左へキーＢ２２と、が含まれる。メニューカテゴリー領域１０６において、表示されていない部門選択キーを表示させるためには、右へキーＢ２１又は左へキーＢ２２をタップ入力して、表示範囲を変更する。お支払キーＢ１１は、１伝票における売上データの登録の終了を指示するためのキーである。
【００６３】
ここでは、部門設定処理において業種である飲食店のサンプル設定に対応する部門設定テーブル５０が生成されており、この部門設定テーブル５０により、部門コード５１：000001〜000006に対応する定食キー１０６Ｃ、飯類キー１０６Ｄ、肉類キー１０６Ｅ、魚類キー１０６Ｆ、麺類キー１０６Ｇ、酒類キー１０６Ｈには、順に、部門名５２に対応する定食、飯類、肉類、魚類、麺類、酒類が設定されている。メニューカテゴリー領域１０６の部門選択キーがタップされると、当該部門選択キーに対応づけて設定されている部門コード５１、部門名５２、グループ５３、税５４が読み出され、読み出された部門コード５１に対応づけて設定されている複数の商品キー（商品メニュー）がメニュー領域１０７に表示される。図１１に示す売上登録画面１００では、メニューカテゴリー領域１０６のうち定食キー１０６Ｃがタップ入力された状態を示している。メニュー領域１０７には、タップにより選択された定食キー１０６Ｃに対応する部門である定食に属する複数の商品の商品キー（商品メニュー）が並列表示されている。メニュー領域１０７のうちの１つの商品キー（商品メニュー）がタップ入力されることで、選択された商品キー（商品メニュー）に対応づけて設定されている商品メニューコードと、その商品メニューの金額とが売上データとして登録される。また、メニュー領域１０７には、上へキーＢ１４、下へキーＢ１５が含まれる。商品選択キーの表示範囲を変更する際には、上へキーＢ１４又は下へキーＢ１５をタップ入力する。
【００６４】
部門一覧表示キー１０６Ａがタップ入力されると、メニュー領域１０７には、定食キー１０６Ｃ、飯類キー１０６Ｄ、肉類キー１０６Ｅ、魚類キー１０６Ｆ、麺類キー１０６Ｇ、酒類キー１０６Ｈと同様の複数の部門選択キーが表示される。例えば、ある商品について、数字入力キー１０４による金額の入力後、メニュー領域１０７の部門選択キーのタップ入力により、数字入力キー１０４により入力された金額及び部門の情報が売上データとして登録される。定番メニュー表示キー１０６Ｂがタップ入力されると、メニュー領域１０７には、定番メニューとして予め登録された少なくとも１つの商品キー（商品メニュー）がメニュー領域１０７に表示される。メニュー領域１０７のうちの１つの商品キーがタップ入力されることで、選択された商品キー（商品メニュー）に対応づけて設定されている商品メニューコードと、その商品メニューの金額とが売上データとして登録される。このようにして、売上データ処理装置２０において、商品、部門の情報等が売上データとして登録され、お支払キーＢ１１のタップ入力により、１つの伝票での締めが行われ、商品登録で入力された商品、部門の情報が対応付けられて、売上データとして登録される。
【００６５】
売上データ処理装置２０において、商品登録の締め毎に、当該商品登録に対応する売上データが生成されて記憶部２７に記憶される。ＣＰＵ２１は、例えば店舗の１日の営業時間終了後に、その１日分の売上データを記憶部２７から読み出して、通信部２６を介して、当該売上データをサーバ１０に送信する。サーバ１０は、各売上データ処理装置２０から売上データを受信及び記憶して管理する。
【００６６】
以上、本実施の形態によれば、売上データ処理装置２０は、操作部２２が、複数の業種から１つの業種の選択入力を受け付け、記憶部２７が、複数の業種にそれぞれ対応付けられた部門の情報を有するサンプル設定用テーブル４０を記憶し、ＣＰＵ２１が、サンプル設定用テーブル４０に基づいて、選択入力された業種に対応付けられた部門を部門コードに設定する。
【００６７】
このため、ユーザが予め用意された業種から１つを選択するだけで部門コードへの部門設定を行うことができ、部門コードへの部門設定の作業負担を低減できる。また、部門設定の操作が簡単であるため、サービスマンが設定操作をする必要をなくすることができる。
【００６８】
また、ＣＰＵ２１が、サンプル設定用テーブル４０に基づいて、複数の業種と当該業種に対応する部門との一覧を表示部２４ａに表示する。このため、ユーザが選択可能な業種及びその部門を目視により容易に確認でき、部門コードへの部門設定の作業負担をより低減できる。
【００６９】
また、操作部２２が、サンプル設定用テーブル４０を用いる部門のサンプル設定、又は部門設定の選択入力を受け付ける。操作部２２は、サンプル設定が選択入力された場合に、業種の選択入力を受け付け、ＣＰＵ２１は、サンプル設定用テーブル４０に基づいて、選択入力された業種に対応付けられた部門を部門コードに設定する。操作部２２は、部門設定が選択入力された場合に、部門コードに対応する部門の入力を受け付け、ＣＰＵ２１が、入力された部門を部門コードに設定する。このため、ユーザがサンプル設定と通常の部門設定とを自在に選択でき、部門を部門コードに設定できる。
【００７０】
また、操作部２２は、サンプル設定により設定された部門の変更情報の入力を受け付け、ＣＰＵ２１は、入力された変更情報に応じて、設定された部門の詳細情報を変更設定する。このため、サンプル設定により部門コードへ設定した部門をユーザが容易に変更できる。
【００７１】
また、売上データ処理装置２０において、記憶部２７に、商品の分類情報（部門名４２）と識別コード（部門コード４３）とが対応付けられたサンプル設定用テーブル４０が業種毎に予めサンプルとして記憶されており、ＣＰＵ２１は、選択された業種に対応したサンプル設定用テーブル４０を記憶部２７から読み出すとともに、読み出したサンプル設定用テーブル４０に基づいて部門設定テーブル５０を設定して商品の売り上げを登録する。このため、商品登録（売上登録）に用いる部門コードへの部門設定と、その設定された部門を用いた商品登録（売上登録）と、の作業負担を低減できる。
【００７２】
以上の説明では、本発明に係るプログラムのコンピュータ読み取り可能な媒体としてＲＯＭ２５を使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００７３】
なお、上記実施の形態における記述は、本発明に係る売上データ処理装置、プログラム及び売上データ処理システムの一例であり、これに限定されるものではない。
【００７４】
例えば、上記実施の形態では、売上データ処理装置２０の初期設定時に、部門コードに部門を設定する構成を説明したが、これに限定されるものではない。売上データ処理装置２０の稼働後にも、部門設定処理を実行して部門コードに部門を再設定する構成としてもよい。
【００７５】
また、上記実施の形態では、サンプル設定用テーブル４０が予め記憶部２７に記憶され、ＣＰＵ２１が、サンプル設定用テーブル４０を記憶部２７から読み出す構成を説明したが、これに限定されるものではない。サーバ１０が記憶しているサンプル設定用テーブル４０を適宜アップデートし、売上データ処理装置２０において、ＣＰＵ２１が、部門設定処理の実行時に、通信部２６を介して、サンプル設定用テーブル４０をサーバ１０から受信して記憶部２７に記憶する構成としてもよい。この構成によれば、適切なサンプル設定用テーブルを取得できる。
【００７６】
また、上記実施の形態では、ユーザが選択した業種に対応する部門の情報を部門コードに設定する構成を説明したが、これに限定されるものではない。サンプル設定用テーブルが、業種、部門の情報、商品の情報を対応付けて記憶し、ＣＰＵ２１が、当該サンプル設定用テーブルを用いて、ユーザが選択した業種に対応する部門の情報を部門コードに設定するとともに、当該部門に対応する商品の情報を設定する構成としてもよい。
【００７７】
また、サンプル設定用テーブル４０において、業種が複数の階層に設定されていることとしてもよい。例えば、飲食店の業種の下層に、和食店、中華料理店等の業種が設定されており、部門設定処理において、操作部２２が、ユーザからサンプル設定用テーブル４０の複数の階層の業種から１つの選択入力を受け付ける構成である。
【００７８】
また、上記実施の形態では、図８のサンプル設定画面７０により部門のサンプル設定を行った後、図９の部門設定画面８０と、変更ボタン８４のタップによる図１０の変更入力画面９０とにより、サンプル設定した部門の情報を変更する構成を説明したが、これに限定されるものではない。例えば、部門の情報の新規追加や削除を行うことができる構成としてもよい。この構成では、部門設定処理において、ステップＳ１６で表示される図９の部門設定画面８０に、変更ボタン８４の他に、追加ボタン、削除ボタン（いずれも図示略）を別途配置する。ＣＰＵ２１は、操作部２２を介して追加ボタンがタップ入力されると追加画面情報を生成して、追加画面（図示略）を表示部２４ａに表示し、操作部２２を介して追加のための部門コード、部門名、グループ、税、キータイプの情報の入力を受け付け、入力された情報に基づき、部門設定テーブル５０に追加レコードを新規追加する。ＣＰＵ２１は、操作部２２を介して削除ボタンがタップ入力されると、部門設定テーブル５０の選択されている部門コードのレコードを削除するのかを確認するダイアログを表示部２４ａに表示して、削除を実行するかを再度確認し、操作部２２を介して削除実行が入力されると、当該選択されている部門コードのレコードを部門設定テーブル５０から削除する。
【００７９】
また、上記実施の形態における売上データ処理システム１の各構成要素の細部構成及び細部動作に関しては、本発明の趣旨を逸脱することのない範囲で適宜変更可能であることは勿論である。
【００８０】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の業種から１つの業種の選択入力を受け付ける操作手段と、
複数の業種にそれぞれ対応付けられた部門の情報を有するサンプル設定用情報を記憶する記憶手段と、
前記サンプル設定用情報に基づいて、前記選択入力された業種に対応付けられた部門を部門コードに設定する設定手段と、
を備える売上データ処理装置。
＜請求項２＞
前記サンプル設定用情報に基づいて、前記複数の業種と当該業種に対応する部門との一覧を表示手段に表示する表示制御手段を備える請求項１に記載の売上データ処理装置。
＜請求項３＞
前記サンプル設定用情報を用いる部門のサンプル設定、又は部門設定の選択入力を受け付ける選択入力手段を備え、
前記操作手段は、前記サンプル設定が選択入力された場合に、前記業種の選択入力を受け付け、
前記設定手段は、前記サンプル設定用情報に基づいて、前記選択入力された業種に対応付けられた部門を部門コードに設定し、
前記操作手段は、前記部門設定が選択入力された場合に、部門コードに対応する部門の入力を受け付け、
前記設定手段は、前記入力された部門を部門コードに設定する請求項１又は２に記載の売上データ処理装置。
＜請求項４＞
前記操作手段は、前記設定された部門の変更情報の入力を受け付け、
前記設定手段は、前記入力された変更情報に応じて、前記設定された部門を変更設定する請求項１から３のいずれか一項に記載の売上データ処理装置。
＜請求項５＞
コンピュータを、
複数の業種から１つの業種の選択入力を受け付ける操作手段、
複数の業種にそれぞれ対応付けられた部門の情報を有するサンプル設定用情報を記憶する記憶手段、
前記サンプル設定用情報に基づいて、前記選択入力された業種に対応付けられた部門を部門コードに設定する設定手段、
として機能させるためのプログラム。
＜請求項６＞
商品の売り上げを登録する際に前記商品の分類を識別するための識別コードを対応付けて登録する売上データ処理システムであって、
商品の分類情報と識別コードとが対応付けられた商品分類設定が業種毎に予めサンプルとして記憶されている記憶手段と、
選択された業種に対応した商品分類設定を前記記憶手段から読み出すとともに、該読み出した商品分類設定に基づいて商品の売り上げを登録する登録手段と、
を備える売上データ処理システム。
【符号の説明】
【００８１】
１  売上データ処理システム
１０  サーバ
２０  売上データ処理装置
２１  ＣＰＵ
２２  操作部
２３  ＲＡＭ
２４ａ，２４ｂ  表示部
２５  ＲＯＭ
２６  通信部
２７  記憶部
２８  印刷部
２９  ドロア
３０  バス
Ｎ  通信ネットワーク
【図１】
2020021515.tif 000003
【図２】
2020021515.tif 000004
【図３】
2020021515.tif 000005
【図４】
2020021515.tif 000006
【図５】
2020021515.tif 000007
【図６】
2020021515.tif 000008
【図７】
2020021515.tif 000009
【図８】
2020021515.tif 000010
【図９】
2020021515.tif 000011
【図１０】
2020021515.tif 000012
【図１１】
2020021515.tif 000013
【手続補正書】
【提出日】令和1年12月2日(2019.12.2)
【手続補正２】
【補正対象書類名】明細書
【補正対象項目名】０００１
【補正方法】変更
【補正の内容】
【０００１】
本発明は、売上データ処理装置、及びプログラムに関する。
【手続補正３】
【補正対象書類名】明細書
【補正対象項目名】０００６
【補正方法】変更
【補正の内容】
【０００６】
本発明の課題は、商品部門設定による作業負担を低減することである。
【手続補正４】
【補正対象書類名】明細書
【補正対象項目名】０００７
【補正方法】変更
【補正の内容】
【０００７】
上記課題を解決するために、本発明の売上データ処理装置は、所定の店舗において売上登録される商品を所定のカテゴリ毎に分類して表示部に表示させる表示制御手段と、ユーザからの入力操作に基づいて前記所定の店舗に対応する業種の識別情報を取得する取得手段と、前記取得手段により前記所定の店舗に対応する業種の識別情報が取得された際に、当該業種の識別情報に予めサンプルとして対応付けられた商品部門設定を、前記商品を前記所定のカテゴリ毎に分類するための商品分類設定として適用する設定手段と、を備える。
【手続補正５】
【補正対象書類名】明細書
【補正対象項目名】０００８
【補正方法】変更
【補正の内容】
【０００８】
本発明によれば、商品部門設定による作業負担を低減することができる。
【手続補正６】
【補正対象書類名】特許請求の範囲
【補正対象項目名】全文
【補正方法】変更
【補正の内容】
【特許請求の範囲】
【請求項１】
所定の店舗において売上登録される商品を所定のカテゴリ毎に分類して表示部に表示させる表示制御手段と、
ユーザからの入力操作に基づいて前記所定の店舗に対応する業種の識別情報を取得する取得手段と、
前記取得手段により前記所定の店舗に対応する業種の識別情報が取得された際に、当該業種の識別情報に予めサンプルとして対応付けられた商品部門設定を、前記商品を前記所定のカテゴリ毎に分類するための商品分類設定として適用する設定手段と、
を備えることを特徴とする売上データ処理装置。
【請求項２】
前記取得手段は、複数の業種の中からユーザの入力操作により選択された一の業種の識別情報を取得する、
ことを特徴とする請求項１に記載の売上データ処理装置。
【請求項３】
前記複数の業種を一覧で表示する表示制御手段、を更に備え、
前記表示制御手段は、前記複数の業種の中からユーザの入力操作により一の業種が選択された際に、当該業種に対応づけられた商品部門設定に基づく商品部門名の一覧を表示させる、
ことを特徴とする請求項２に記載の売上データ処理装置。
【請求項４】
前記表示制御手段は、前記複数の業種の一覧と前記商品部門名の一覧を並べて表示させる、
ことを特徴とする請求項３に記載の売上データ処理装置。
【請求項５】
コンピュータを、
所定の店舗において売上登録される商品を所定のカテゴリ毎に分類して表示部に表示させる表示制御手段、
ユーザからの入力操作に基づいて前記所定の店舗に対応する業種の識別情報を取得する取得手段、
前記取得手段により前記所定の店舗に対応する業種の識別情報が取得された際に、当該業種の識別情報に予めサンプルとして対応付けられた商品部門設定を、前記商品を前記所定のカテゴリ毎に分類するための商品分類設定として適用する設定手段、
として機能させるためのプログラム。